(57)【要約】  高周波無線通信での差等エラー訂正符号化を利用して非圧縮ＡＶデータを効率的に送受信するための送受信方法及び装置、そして差等エラー訂正符号化が適用されるための伝送フレーム構造を提供する。非圧縮ＡＶデータを伝送する途中に、非圧縮ＡＶデータの伝送効率が所定基準以下に低下するか否かを判断するステップと、該判断結果、伝送効率が基準以下に低下する場合には、伝送される非圧縮ＡＶデータを構成するビットを重要ビットと非重要ビットとに分割する方式を表現する差等エラー訂正モードの使用如何を決定するステップと、該決定によって、差等エラー訂正モードを使用して非圧縮ＡＶデータを再伝送するステップと、を含む非圧縮ＡＶデータの送信方法である。
2009535965.tif 000002
【特許請求の範囲】
【請求項１】
非圧縮ＡＶデータを伝送する途中に、前記非圧縮ＡＶデータの伝送効率が所定基準以下に低下するか否かを判断するステップと、
前記判断結果、前記伝送効率が前記基準以下に低下する場合には、差等エラー訂正モードの使用如何を決定するステップと、
前記決定によって前記差等エラー訂正モードを使用して、前記非圧縮ＡＶデータを再伝送するステップと、を含み、
前記差等エラー訂正モードは、前記伝送される非圧縮ＡＶデータを構成するビットを重要ビットと非重要ビットとに分割する方式を表現する非圧縮ＡＶデータの送信方法。
【請求項２】
前記差等エラー訂正モードの使用如何は、
前記非圧縮ＡＶデータのＰＨＹヘッダに基づいて決定されることを特徴とする請求項１に記載の非圧縮ＡＶデータの送信方法。
【請求項３】
前記非圧縮ＡＶデータを再伝送するステップは、
前記非圧縮ＡＶデータのＭＡＣヘッダに含まれるＵＭＲフィールドを１に設定することによって、所定の差等エラー訂正モードを推薦することを受信装置に要請するステップと、
前記要請に基づいて、前記受信装置が現在伝送効率に適応的な差等エラー訂正モードを選択して推薦するステップと、
前記推薦された差等エラー訂正モードを前記受信装置から受信するステップと、
前記受信された差等エラー訂正モードによって、前記非圧縮ＡＶデータを再伝送するステップと、を含むことを特徴とする請求項１に記載の非圧縮ＡＶデータの送信方法。
【請求項４】
前記受信装置に要請するステップは、
前記ＵＭＲフィールドのＩＤが付与されたＵＭＲＩフィールドを前記ＭＡＣヘッダに設定し、前記ＭＡＣヘッダを含むフレームを受信装置に伝送するステップを含むことを特徴とする請求項３に記載の非圧縮ＡＶデータの送信方法。
【請求項５】
前記差等エラー訂正モードを選択して推薦するステップは、
前記推薦された差等エラー訂正モードのＩＤが付与されたＲＵＭＩフィールドを前記受信したフレームのＭＡＣヘッダに設定し、前記ＭＡＣヘッダを含むフレームを送信装置に伝送するステップを含むことを特徴とする請求項４に記載の非圧縮ＡＶデータの送信方法。
【請求項６】
前記伝送効率が前記基準以下に再び低下する場合には、前記差等エラー訂正モードを変更するステップと、
前記変更された差等エラー訂正モードによって、非圧縮ＡＶデータを再伝送するステップと、をさらに含むことを特徴とする請求項１に記載の非圧縮ＡＶデータの送信方法。
【請求項７】
前記所定基準以下に低下するか否かを判断するステップは、
前記伝送される非圧縮ＡＶデータを受信する受信装置からエラー応答を受信することによって判断するステップを含むことを特徴とする請求項１に記載の非圧縮ＡＶデータの送信方法。
【請求項８】
前記重要ビットと非重要ビットとに分割する方式は、
前記非圧縮ＡＶデータを構成するビットのうち所定数の上位ビットレベルに属するビットを重要ビットに設定し、残りのビットを非重要ビットに設定する方式であることを特徴とする請求項１に記載の非圧縮ＡＶデータの送信方法。
【請求項９】
非圧縮ＡＶデータを受信する途中に、前記非圧縮ＡＶデータの受信効率が所定基準以下に低下するか否かを判断するステップと、
前記判断結果、前記受信効率が前記基準以下に低下する場合には、前記非圧縮ＡＶデータのための第１差等エラー訂正モードの使用如何を確認するステップと、
前記確認結果、前記第１差等エラー訂正モードが使われる場合には、前記第１差等エラー訂正モードが使われた非圧縮ＡＶデータの再伝送を要請するステップと、を含み、
前記第１差等エラー訂正モードは、前記受信した非圧縮ＡＶデータを構成するビットを重要ビットと非重要ビットとに分割する方式を表現する非圧縮ＡＶデータの受信方法。
【請求項１０】
前記受信した非圧縮ＡＶデータのＰＨＹヘッダは、
前記第１差等エラー訂正モードの使用如何と関連した情報を含むことを特徴とする請求項９に記載の非圧縮ＡＶデータの受信方法。
【請求項１１】
前記非圧縮ＡＶデータの再伝送を要請するステップは、
前記受信した非圧縮ＡＶデータのＭＡＣヘッダに含まれるＵＭＲフィールドが１に設定されているか否かを判断するステップと、
前記ＵＭＲフィールドが１に設定されている場合、現在のデータ受信率に適応的な第２差等エラー訂正モードを推薦することを伝送デバイスから要請されるステップと、
前記要請に基づいて、前記適応的な第２差等エラー訂正モードを選択して推薦するステップと、
前記推薦した第２差等エラー訂正モードを前記送信装置に伝送し、前記第２差等エラー訂正モードによる非圧縮ＡＶデータの再伝送を前記送信装置に要請するステップと、を含むことを特徴とする請求項９に記載の非圧縮ＡＶデータの受信方法。
【請求項１２】
前記第２差等エラー訂正モードを選択して推薦するステップは、
前記推薦された第２差等エラー訂正モードのＩＤが付与されたＲＵＭＩフィールドを受信フレームのＭＡＣヘッダに設定し、前記受信フレームを送信装置に伝送するステップを含むことを特徴とする請求項１１に記載の非圧縮ＡＶデータの受信方法。
【請求項１３】
前記受信効率が前記基準以下に再び低下する場合には、前記第１差等エラー訂正モードを変更するステップと、
前記変更された第１差等エラー訂正モードによって、非圧縮ＡＶデータを再受信するステップと、をさらに含むことを特徴とする請求項９に記載の非圧縮ＡＶデータの受信方法。
【請求項１４】
前記重要ビットと非重要ビットとに分割する方式は、
前記非圧縮ＡＶデータを構成するビットのうち、所定数の上位ビットレベルに属するビットを重要ビットに設定し、残りのビットを非重要ビットに設定する方式であることを特徴とする請求項９に記載の非圧縮ＡＶデータの受信方法。
【請求項１５】
非圧縮ＡＶデータを伝送する途中に前記非圧縮ＡＶデータの伝送効率が所定基準以下に低下するか否かを判断する伝送効率判断部と、
前記判断結果、前記伝送効率が前記基準以下に低下する場合には、差等エラー訂正モードの使用如何を決定する差等エラー訂正モード決定部と、
前記決定によって前記差等エラー訂正モードを使用して、前記非圧縮ＡＶデータの符号化を行うチャンネルコーディング部と、
前記符号化されたデータを再伝送するＲＦ部と、を含み
前記差等エラー訂正モードは、前記伝送される非圧縮ＡＶデータを構成するビットを重要ビットと非重要ビットとに分割する方式を表現する非圧縮ＡＶデータの送信装置。
【請求項１６】
前記非圧縮ＡＶデータのＰＨＹヘッダは、
前記差等エラー訂正モードの使用如何と関連した情報を含むことを特徴とする請求項１５に記載の非圧縮ＡＶデータの送信装置。
【請求項１７】
前記差等エラー訂正モード決定部は、
前記非圧縮ＡＶデータのＭＡＣヘッダに含まれるＵＭＲフィールドを１に設定することによって、現在伝送効率に適応的な差等エラー訂正モードを推薦することを受信装置に要請し、前記要請に基づいて、特定差等エラー訂正モードを受信装置が選択して推薦する場合、前記推薦された差等エラー訂正モードを使用することを決定することを特徴とする請求項１５に記載の非圧縮ＡＶデータの送信装置。
【請求項１８】
前記ＭＡＣヘッダは、
前記ＵＭＲフィールド及び前記ＵＭＲフィールドのＩＤが付与されるＵＭＲＩフィールドを含むことを特徴とする請求項１７に記載の非圧縮ＡＶデータの送信装置。
【請求項１９】
前記チャンネルコーディング部は、
前記伝送効率が前記基準以下に再び低下する場合には、前記差等エラー訂正モードを変更して符号化を行うことを特徴とする請求項１５に記載の非圧縮ＡＶデータの送信装置。
【請求項２０】
前記所定基準以下に低下するか否かは、
前記伝送される非圧縮ＡＶデータを受信する受信装置からエラー応答を受信することによって判断されることを特徴とする請求項１５に記載の非圧縮ＡＶデータの送信装置。
【請求項２１】
前記重要ビットと非重要ビットとに分割する方式は、
前記非圧縮ＡＶデータを構成するビットのうち、所定数の上位ビットレベルに属するビットを重要ビットに設定し、残りのビットを非重要ビットに設定する方式であることを特徴とする請求項１５に記載の非圧縮ＡＶデータの送信装置。
【請求項２２】
非圧縮ＡＶデータを受信する途中に前記非圧縮ＡＶデータの受信効率が所定基準以下に低下するか否かを判断する受信効率判断部と、
前記判断結果、前記受信効率が前記基準以下に低下する場合には、第１差等エラー訂正モードの使用如何を確認して、前記非圧縮ＡＶデータをデコーディングするチャンネルデコーディング部と、
前記確認結果、前記第１差等エラー訂正モードが使われない場合には、前記第１差等エラー訂正モードが使われた非圧縮ＡＶデータの再伝送を要請する再伝送要請部と、を備え、
前記第１差等エラー訂正モードは、前記非圧縮ＡＶデータを構成するビットを重要ビットと非重要ビットとに分割する方式を表現する非圧縮ＡＶデータの受信装置。
【請求項２３】
前記非圧縮ＡＶデータのＰＨＹヘッダは、
前記差等エラー訂正モードの使用如何と関連した情報を含むことを特徴とする請求項２２に記載の非圧縮ＡＶデータの受信装置。
【請求項２４】
前記再伝送要請部は、
前記受信した非圧縮ＡＶデータのＭＡＣヘッダに含まれるＵＭＲフィールドが１に設定されているか否かを確認し、前記ＵＭＲフィールドが１に設定されていない場合には、現在のデータ受信率に適応的な差等エラー訂正モードが適用される非圧縮ＡＶデータの再伝送を送信装置に要請することを特徴とする請求項２２に記載の非圧縮ＡＶデータの受信装置。
【請求項２５】
前記受信した非圧縮ＡＶデータのＭＡＣヘッダは、
前記推薦された差等エラー訂正モードを指定するＲＵＭフィールド及び前記ＲＵＭフィールドのＩＤが付与されるＲＵＭＩフィールドを含むことを特徴とする請求項２４に記載の非圧縮ＡＶデータの受信装置。
【請求項２６】
前記再伝送要請部は、
前記受信効率が前記基準以下に再び低下する場合は、前記差等エラー訂正モードを変更し、前記変更された差等エラー訂正モードが適用される非圧縮ＡＶデータの再伝送を要請することを特徴とする請求項２２に記載の非圧縮ＡＶデータの受信装置。
【請求項２７】
前記重要ビットと非重要ビットとに分割する方式は、
前記非圧縮ＡＶデータを構成するビットのうち、所定数の上位ビットレベルに属するビットを重要ビットに設定し、残りのビットを非重要ビットに設定する方式であることを特徴とする請求項２２に記載の非圧縮ＡＶデータの受信装置。
【請求項２８】
非圧縮ＡＶデータを伝送する方法において、
前記非圧縮ＡＶデータを伝送する伝送フレーム構造を生成するステップと、
前記伝送フレーム構造を伝送するステップと、を含み、
前記伝送フレーム構造は、
前記非圧縮ＡＶデータを構成するビットの重要度によって分類され、所定の符号化率でエラー訂正符号化された複数の伝送データユニットで構成されるペイロードと、
前記ペイロードに付加され、前記非圧縮ＡＶデータを構成するビットを重要ビットと非重要ビットとに分割する方式を表現する第１差等エラー訂正モードを使用して前記非圧縮ＡＶデータを符号化するためのリンク適応フィールドが設定されたＭＡＣヘッダと、
前記ＭＡＣヘッダに付加され、前記差等エラー訂正モードの使用如何に関する情報を含むＰＨＹヘッダと、を備え、
前記ＭＡＣヘッダは、現在伝送効率に適応的な第２差等エラー訂正モードを推薦することを受信装置に要請するＵＭＲフィールド及び前記ＵＭＲフィールドのＩＤが付与されるＵＭＲＩフィールドを含む非圧縮ＡＶデータの伝送方法。
【請求項２９】
前記ＵＭＲフィールドは、
前記伝送効率が所定基準以下に低下する場合には、フィールド値を１に設定することによって、前記第２差等エラー訂正モードを推薦することを要請することを特徴とする請求項２８に記載の非圧縮ＡＶデータの伝送方法。
【請求項３０】
前記ＰＨＹヘッダは、
前記伝送データユニットに含まれるビットレベルの数に関する情報、変調方式に関する情報、前記ビットレベルの数に関する情報と前記変調方式に関する情報との組合わせを表すモードインデックスに関する情報をさらに含むことを特徴とする請求項２８に記載の非圧縮ＡＶデータの伝送方法。
【請求項３１】
前記ＭＡＣヘッダは、
受信した非圧縮ＡＶデータのＭＡＣヘッダに含まれるＵＭＲフィールドが１に設定されている場合、現在のデータ受信率に適応的な前記第２差等エラー訂正モードを推薦するＲＵＭフィールド及び前記ＲＵＭフィールドのＩＤが付与されるＲＵＭＩフィールドを含むことを特徴とする請求項２８に記載の非圧縮ＡＶデータの伝送方法。
【請求項３２】
前記ＲＵＭフィールドは、
受信効率が所定基準以下に低下する場合には、変更された差等エラー訂正モードを推薦することを特徴とする請求項３１に記載の非圧縮ＡＶデータの伝送方法。
【発明の詳細な説明】
【技術分野】
【０００１】
本発明は、無線通信技術に係り、さらに詳細には、高周波無線通信での差等エラー訂正符号化を利用して、非圧縮ＡＶデータを効率的に送受信するための送受信方法及び装置、差等エラー訂正符号化が適用されるための伝送フレーム構造に関する。
【背景技術】
【０００２】
ネットワークが無線化されており、大容量のマルチメディアデータ伝送要求の増大によって、無線ネットワーク環境での効果的な伝送法について研究が要求されている。さらに、ＤＶＤ（Ｄｉｇｉｔａｌ  Ｖｉｄｅｏ  Ｄｉｓｋ）画像、ＨＤＴＶ（Ｈｉｇｈ  Ｄｅｆｉｎｉｔｉｏｎ  Ｔｅｌｅｖｉｓｉｏｎ）画像など高品質ビデオを多様なホームデバイス間に無線で伝送する必要性が高まっている。
【０００３】
現在、ＩＥＥＥ  ８０２.１５.３ｃの一つのタスクグループでは、無線ホームネットワークで大容量のデータを伝送するための技術標準を推進している。いわゆる、ｍｍＷａｖｅ（Ｍｉｌｌｉｍｅｔｅｒ  Ｗａｖｅ）と呼ばれるこの標準は、大容量データ伝送のために物理的な波長の長さがｍｍである電波（すなわち、３０ＧＨｚないし３００ＧＨｚの周波数を有する電波）を利用する。従来には、このような周波数帯は、無許可バンドであって、通信事業者用や電波天文用、または車両衝突防止などの制限的用途として使われてきた。
【０００４】
図１は、ＩＥＥＥ  ８０２.１１系の標準とｍｍ波（ｍｍＷａｖｅ）との間の周波数帯域を比較する図である。ＩＥＥＥ  ８０２.１１ｂやＩＥＥＥ  ８０２.１１ｇは、搬送波周波数が２.４ＧＨｚであり、チャンネル帯域幅は、２０ＭＨｚほどである。また、ＩＥＥＥ  ８０２.１１ａやＩＥＥＥ  ８０２.１１ｎは、搬送波周波数が５ＧＨｚであり、チャンネル帯域幅は、同様に２０ＭＨｚほどである。一方、ｍｍＷａｖｅは、６０ＧＨｚの搬送波周波数を使用し、約０.５ないし２.５ＧＨｚのチャンネル帯域幅を有する。したがって、ｍｍＷａｖｅは、既存のＩＥＥＥ  ８０２.１１系の標準に比べて、はるかに大きい搬送波周波数及びチャンネル帯域幅を有するということが分かる。このように、ｍｍ単位の波長を有する高周波信号（ｍｍ波）を利用すれば、数ギガビット単位（Ｇｂｐｓ）の非常に高い伝送率を表すことができ、アンテナサイズを１.５ｍｍ以下にすることができて、アンテナを含む単一チップを具現しうる。また、空気中で減衰率が非常に高いため、機器間の干渉を減少させうるという長所もある。
【０００５】
特に、最近には、ｍｍ波の有する高帯域幅を利用して、無線機器間で非圧縮オーディオまたはビデオデータ（以下、非圧縮ＡＶデータという）を伝送するための研究がなされている。圧縮ＡＶ（Ａｕｄｉｏ  ｏｒ  Ｖｉｄｅｏ）データがモーション補償、ＤＣＴ（Ｄｉｓｃｒｅｔｅ  Ｃｏｓｉｎｅ  Ｔｒａｎｓｆｏｒｍ）変換、量子化、可変長符号化の過程を通じて、人間の視覚、聴覚にそれほど敏感でない部分を除去する方式で損失圧縮される一方、非圧縮ＡＶデータは、画素成分を表すデジタル値（例えば、Ｒ、Ｇ、Ｂ成分）をそのまま含む。
【０００６】
したがって、圧縮ＡＶデータに含まれるビットは、重要度に対する優劣がないが、非圧縮ＡＶデータに含まれるビットは、優劣が存在する。例えば、図２に示されたように、８ビット画像の場合、一つの画素成分は、８個のビットで表現されるが、このうち最も高い次数を表現するビット（最上位レベルのビット）が最も重要なビット（Ｍｏｓｔ  Ｓｉｇｎｉｆｉｃａｎｔ  Ｂｉｔ：ＭＳＢ）であり、最も低い次数を表現するビット（最下位レベルのビット）が最も重要でないビット（Ｌｅａｓｔ  Ｓｉｇｎｉｆｉｃａｎｔ  Ｂｉｔ：ＬＳＢ）である。すなわち、８ビットで構成された１バイトデータのうち、それぞれのビットは、画像信号や音声信号の復元において占める重要度が異なる。伝送中に重要度の高いビットでエラーが発生すれば、そうでないビットでエラーが発生した時より容易にエラー発生が感知されうる。したがって、重要度の高いビットデータは、重要度の低いビットデータに比べて、無線伝送時にエラーが発生しないように保護せねばならない必要性が大きい。しかし、ＩＥＥＥ  ８０２.１１系列の従来の伝送方式では、伝送される全てのビットに対して同じ符号化率を有するエラー訂正方式及び再伝送方式を使用している。
【０００７】
図３は、ＩＥＥＥ  ８０２.１１ａ規格の物理層伝送フレーム（ＰＨＹ  Ｐｒｏｔｏｃｏｌ  Ｄａｔａ  Ｕｎｉｔ：ＰＰＤＵ）の構造を示す図である。ＰＰＤＵ  ３０は、プリアンブル、シグナルフィールド、及びデータフィールドで構成される。前記プリアンブルは、ＰＨＹ階層の同期化及びチャンネル推定のための信号であって、複数の短い訓練信号と長い訓練信号とからなっている。シグナルフィールドは、伝送率を表すＲＡＴＥフィールド、ＰＰＤＵの長さを表すＬＥＮＧＴＨフィールドを含む。シグナルフィールドはまた、予備されたビット、パリティビット及びテールビットを含みうる。通常、シグナルフィールドは、一つのシンボルによって符号化される。データフィールドは、ＰＳＤＵ（Ｐｈｙｓｉｃａｌ  Ｌａｙｅｒ  Ｓｅｒｖｉｃｅ  Ｄａｔａ  Ｕｎｉｔ）、テールビット及びパッドビットでなされているが、実際伝送しようとするデータは、ＰＳＤＵ部分に含まれる。
【０００８】
ＰＳＤＵに記録されるデータは、コンボリューションエンコーダやＲＳ（Ｒｅａｄ  Ｓｏｌｏｍｏｎ）エンコーダを利用して符号化されたコードでなされているが、このようなデータは、重要度面で差がなく、同じエラー訂正符号化を通じて符号化されるため、データの各部分は、同じエラー訂正能を有する。また、受信側でエラーを発見し、送信側に再伝送を要請する時（ＡＣＫを通じて）、送信側では、該当するデータ全体をいずれも再伝送する。このような従来の方法は、一般的なデータ伝送時には、別途とし、伝送しようとするデータの重要度で差があるので、チャンネルの伝送状態が不良になるという問題がある。
【発明の開示】
【発明が解決しようとする課題】
【０００９】
本発明の一実施形態は、前記短所及び前述するところ以外の短所をも克服しうる。しかしながら、本発明は、前記短所ことごとく克服することが要求されるものではなく、本発明の一実施形態は、前述された問題のうち克服しないものもあるともいえる。
【００１０】
前記のような問題点を解決するために考案されたものであって、本発明が解決しようとする技術的課題は、高周波を利用する無線装置のデータ送受信状態が悪くなる場合、ＭＡＣ（Ｍｅｄｉａ  Ａｃｃｅｓｓ  Ｃｏｎｔｒｏｌ）レイヤで基礎レイヤの差等エラー訂正符号化を支援しうる非圧縮ＡＶデータの送受信方法及び装置を提供することである。
【００１１】
また、本発明が解決しようとする技術的課題は、数Ｇｂｐｓの帯域を通じて大容量の非圧縮オーディオ／ビデオデータ（以下、ＡＶデータという）を、差等エラー訂正符号化技法を利用して伝送するのに適した伝送フレームの構造を提供することである。
【００１２】
本発明の技術的課題は、前述した技術的課題に制限されず、前述されていない他の技術的課題は、下記から当業者に明確に理解されるであろう。
【課題を解決するための手段】
【００１３】
前記課題を達成するための本発明の一実施形態による非圧縮ＡＶデータの送信方法は、非圧縮ＡＶデータを伝送する途中に前記非圧縮ＡＶデータの伝送効率が所定基準以下に低下するか否かを判断するステップと、前記判断結果、前記伝送効率が前記基準以下に低下する場合には、前記伝送される非圧縮ＡＶデータを構成するビットを重要ビットと非重要ビットとに分割する方式を表現する差等エラー訂正（ＵＥＰ：Ｕｎｅｑｕａｌ  Ｅｒｒｏｒ  Ｐｒｏｔｅｃｔｉｏｎ）モードの使用如何を決定するステップと、前記決定によって前記ＵＥＰモードを使用して前記非圧縮ＡＶデータを再伝送するステップと、を含む。
【００１４】
前記課題を達成するための本発明の他の一実施形態による非圧縮ＡＶデータの受信方法は、非圧縮ＡＶデータを受信する途中に前記非圧縮ＡＶデータの受信効率が所定基準以下に低下するか否かを判断するステップと、前記判断結果、前記受信効率が前記基準以下に低下する場合には、前記受信した非圧縮ＡＶデータを構成するビットを重要ビットと非重要ビットとに分割する方式を表現するＵＥＰモードの使用如何を確認するステップと、前記確認結果、前記ＵＥＰモードが使われる場合には、前記ＵＥＰモードが使われた非圧縮ＡＶデータの再伝送を要請するステップと、を含む。
【００１５】
前記課題を達成するための本発明の他の一実施形態による非圧縮ＡＶデータの送信装置は、非圧縮ＡＶデータを伝送する途中に前記非圧縮ＡＶデータの伝送効率が所定基準以下に低下するか否かを判断する伝送効率判断部と、前記判断結果、前記伝送効率が前記基準以下に低下する場合には、前記伝送される非圧縮ＡＶデータを構成するビットを重要ビットと非重要ビットとに分割する方式を表現するＵＥＰモードの使用如何を決定するＵＥＰモード決定部と、前記決定によって、前記ＵＥＰモードを使用して前記非圧縮ＡＶデータの符号化を行うチャンネルコーディング部と、前記符号化されたデータを再伝送するＲＦ（Ｒａｄｉｏ  Ｆｒｅｑｕｅｎｃｙ）部と、を備える。
【００１６】
前記課題を達成するための本発明の他の一実施形態による非圧縮ＡＶデータの受信装置は、非圧縮ＡＶデータを受信する途中に前記非圧縮ＡＶデータの受信効率が所定基準以下に低下するか否かを判断する受信効率判断部と、前記判断結果、前記受信効率が前記基準以下に低下する場合には、前記受信した非圧縮ＡＶデータを構成するビットを重要ビットと非重要ビットとに分割する方式を表現するＵＥＰモードの使用如何を確認して、前記非圧縮ＡＶデータをデコーディングするチャンネルデコーディング部と、前記確認結果、前記ＵＥＰモードが使われない場合には、前記ＵＥＰモードが使われた非圧縮ＡＶデータの再伝送を要請する再伝送要請部と、を備える。
【００１７】
前記課題を達成するための本発明の他の一実施形態による非圧縮ＡＶデータの伝送フレームの構造は、前記非圧縮ＡＶデータを構成するビットの重要度によって分類され、所定の符号化率でエラー訂正符号化された複数の伝送データユニットで構成されるペイロードと、前記ペイロードに付加され、前記非圧縮ＡＶデータを構成するビットを重要ビットと非重要ビットとに分割する方式を表現するＵＥＰモードを使用して前記非圧縮ＡＶデータを符号化するためのリンク適応フィールド（ＬＡＦ：Ｌｉｎｋ  Ａｄａｐｔａｔｉｏｎ  Ｆｉｅｌｄ）が設定されたＭＡＣヘッダと、前記ＭＡＣヘッダに付加され、前記ＵＥＰモードの使用如何に関する情報を含むＰＨＹヘッダと、を備え、前記ＭＡＣヘッダは、現在伝送効率に適応的な所定ＵＥＰモードを推薦することを受信装置に要請するＵＭＲフィールド及び前記ＵＭＲフィールドのＩＤが付与されるＵＭＲＩフィールドを含む。
【発明を実施するための最良の形態】
【００１８】
本発明の利点及び特徴、そしてそれらを達成する方法は、添付される図面と共に詳細に後述されている実施形態を参照すれば明確になる。しかし、本発明は、後述する実施形態に限定されるものではなく、異なる多様な形態に具現され、但し、本実施形態は、本発明の開示を完全にし、当業者に発明の範囲を完全に知らせるために提供され、本発明は、請求項の範囲によって定義されるだけである。明細書全体にわたって、同じ参照符号は、同じ構成要素を表す。
【００１９】
以下、本発明の望ましい実施形態によって、予め定義された非圧縮ＡＶデータを送受信する方法、装置、及び伝送フレーム構造を説明するためのブロック図またはフローチャートを参照して、さらに詳細に説明する。
【００２０】
まず、ＲＧＢ各８ビットずつビデオ信号が伝送される場合において、Ｒ、Ｇ、Ｂ各ビデオ信号をなす８ビットデータのうち、Ｒ信号のみを例に挙げれば、Ｒ［７］、Ｒ［６］、Ｒ［５］、Ｒ［４］、Ｒ［３］、Ｒ［２］、Ｒ［１］、及びＲ［０］となる。（このとき、Ｒ［７」がＭＳＢ（Ｍｏｓｔ  Ｓｉｇｎｉｆｉｃａｎｔ  Ｂｉｔ）となり、Ｒ［０］がＬＳＢ（Ｌｅａｓｔ  Ｓｉｇｎｉｆｉｃａｎｔ  Ｂｉｔ）となる。）この場合、Ｒ［７］ビットにエラーが発生した時に、エラーを人間が認識できる程度と、Ｒ［０］ビットにエラーが発生した時に人間がエラーを認識できる程度とは、大きく異なる。したがって、人間の認識程度を考慮して、その重要度が大きいＲ［７］ビットをさらに強いエラー訂正符号方法を利用して、エラーに強くする必要がある。このようなエラー訂正に使われる技法として、高周波無線通信のＭＡＣレイヤで支援するＵＥＰ（Ｕｎｅｑｕａｌ  Ｅｒｒｏｒ  Ｐｒｏｔｅｃｔｉｏｎ）符号化技法がある。前記ＵＥＰは、ＢＢレイヤで行われるが、伝送率を一定に維持しつつ、各ビットによって差等的にエラー訂正を行う方法であって、ＢＣＨ（Ｂｏｓｅ、Ｒａｙ-Ｃｈａｕｄｈｕｒｉ、Ｈｏｃｑｕｅｎｇｈｅｍ）、ＲＳコーディング、コンボリューションコーディング、ターボコーディング、ＬＤＰＣ（Ｌｏｗ  Ｄｅｎｓｉｔｙ  Ｐａｒｉｔｙ  Ｃｈｅｃｋ）など色々なアルゴリズムが利用され、重要ビットと非重要ビットとの分割比率を調節することによって、人間の認識範囲内で感じられるエラー発生程度を減らすことができる。
【００２１】
これにより、エラー発生程度を減らすためのＵＥＰ符号化が適用される伝送フレームの構造を図４を参照して説明する。前記図４を参照するに、伝送フレーム７００は、ＰＬＣＰ（Ｐｈｙｓｉｃａｌ  Ｌａｙｅｒ  Ｃｏｎｖｅｒｇｅｎｃｅ  Ｐｒｏｔｏｃｏｌ）ヘッダ７７０、ＭＰＤＵ（ＭＡＣ  Ｐｒｏｔｏｃａｌ  Ｄａｔａ  Ｕｎｉｔ）フィールド７５０、及びビームトラッキングフィールド７６０を備える。ＰＬＣＰヘッダ７７０は、さらにプリアンブル７１０、ＰＨＹヘッダ７２０、ＭＡＣヘッダ７３０、及びＨＣＳ（Ｈｅａｄｅｒ  Ｃｈｅｃｋ  Ｓｅｑｕｅｎｃｅ）フィールド７４０で構成される。
【００２２】
プリアンブル７１０は、ＰＨＹ階層の同期化及びチャンネル推定のための信号であって、通常複数の短い訓練信号と長い訓練信号とからなる。ＰＨＹヘッダ７２０は、ＰＨＹ階層で使われる情報に基づいて生成される領域であり、ＭＡＣヘッダ７３０は、ＭＡＣ階層で使われる情報に基づいて生成される領域であって、媒体接近制御のための情報が記録される。ＩＥＥＥ  ８０２.１１系列標準やＩＥＥＥ  ８０２.３標準と同様に、ＭＡＣメディア接近制御のために使われる。そして、ＨＣＳフィールド７４０は、ＰＬＣＰヘッダ７７０にエラーが発生したか否かをチェックするのに使われる領域である。
【００２３】
ＭＰＤＵフィールド７５０は、実際伝送しようとする複数の伝送データユニット（Ｔｒａｎｓｍｉｓｓｉｏｎ  Ｄａｔａ  Ｕｎｉｔ：ＴＤＵ）、すなわち、所定の符号化率でエラー訂正符号化された非圧縮ＡＶデータが記録される領域である。エラー訂正符号化時、同じ番号のＴＤＵには、同じ符号化率が適用される。このようなＴＤＵは、高い重要度を有するものから低い重要度を有するものの順に、またはその逆に配列されうる。
【００２４】
ビームトラッキングフィールド７６０は、ビームステアリングのための付加情報が記録される領域である。ビームステアリングは、方向性を有する無線信号の受信方向に適するように、アンテナの方向性を設定することを意味する。
【００２５】
図５は、本発明の一実施形態によるＰＨＹヘッダ７２０の構造を示す図である。前記図５のように、ＰＨＹヘッダ７２０は、ＨＲＰ（Ｈｉｇｈ  Ｒａｔｅ  ＰＨＹ）モードインデックスフィールド７２０ａ、ＭＰＤＵ長フィールド７２０ｂ、ビームトラッキングフィールド７２０ｃ、エラー保護フィールド７２０ｄ、ＵＥＰオフセットフィールド７２０ｅ及び予備フィールド７２０ｆを含む。
【００２６】
本発明では、非圧縮ＡＶデータを伝送するために３Ｇｂｐｓ以上の伝送率を使用するため、ＰＨＹヘッダ７２０は、図３に示されたＰＨＹヘッダとは多少変わる必要がある。このような意味で、図５でのＰＨＹヘッダ７２０は、ＨＲＰヘッダと定義される。
【００２７】
ＨＲＰモードインデックスフィールド７２０ａは、ＭＰＤＵ７５０に含まれるグループの数、各グループに適用される符号化率及び変調方式などの情報を含んでいる。本発明の一実施形態において、前記モードインデックスは、図６のテーブルのように、０から６までの値を有しうると定義される。もちろん、グルーピング情報（一つのグループが含むビットレベルの数）、符号化率、変調方式などの項目を表示するフィールドをそれぞれ配置することもできるが、前記モードインデックスを利用すれば、一つのインデックスで複数の項目組合わせを表すことができるという長所がある。前記モードインデックスに対応する前記図６の伝送モードテーブルは、送信装置と受信装置との間に予め約束されるか、または送信装置から受信装置に伝送されねばならない。
【００２８】
前記図６のテーブルを参照するに、ＨＲＰモードインデックスが０ないし２である場合には、ＥＥＰ（Ｅｑｕａｌ  Ｅｒｒｏｒ  Ｐｒｏｔｅｃｔｉｏｎ）が適用され、３ないし４である場合には、２つに分割されたグループにＵＥＰ（Ｕｎｅｑｕａｌ  Ｅｒｒｏｒ  Ｐｒｏｔｅｃｔｉｏｎ）が適用されるということが分かる。このうち、第１グループは、上位４個のビットレベル（［７］、［６］、［５］、［４］）を含み、第２グループは、下位４個のビットレベル（［３］、［２］、［１］、［０］）を含む。前記テーブルでは、ＵＥＰが適用される場合に、分割されたグループの数は２であると設定したが、前記分割されたグループの数及び該当グループに属するビットレベルの数は、いくらでも異なって設定しうる。８ビットデータの場合、前記分割されたグループの数は、最大８まで可能である。
【００２９】
再伝送時には、相対的に重要度の高い第１グループのみを１／３の符号化率で再伝送し、相対的に重要度の低い第２グループは、伝送しない（符号化率がｉｎｆｉｎｉｔｅである）ということが分かる。非圧縮ＡＶデータは、圧縮ＡＶデータとは異なり、データを構成するそれぞれのビットごとに重要度が異なり、さらに重要度の高い上位レベルのビットの伝送において、エラーが発生しないように保護する必要があるためである。
【００３０】
一方、前記符号化率に表示された分数値で、分子は、入力されるビット数を表し、分母は、変換される符号語のビット数を表す。したがって、符号化率が低くなるほど（すなわち、分母が大きくなるほど）入力ビットに比べて大きいビットの符号語に符号化されるため、エラー訂正の確率がさらに高くなる。前記テーブルのＨＲＰモードインデックスが３ないし６である場合（ＵＥＰモードと再伝送モード）、上位グループの第１グループが下位グループである第２グループより符号化率が低く設定されているということが分かる。
【００３１】
図７は、ビットブロックの多様な分割比率を例示する図である。８ビットを例として挙げれば、８つのビットのうち、重要ビットと非重要ビットとを分離する方式は、多様でありうる。まず、６１０では、［０］ないし［３］ビットはＬＳＢに、［４］ないし［７］ビットはＭＳＢに分割した後、ＬＳＢに対しては４／５の符号化率で、ＭＳＢに対しては１／２の符号化率で符号化した。６２０では、［０］ないし［４］ビットはＬＳＢに、［５］ないし［７］ビットはＭＳＢに分割した後、ＬＳＢに対しては５／６の符号化率で、ＭＳＢに対しては１／２の符号化率で符号化した。６３０では、［０］ないし［３］ビットはＬＳＢに、［４］ないし［５］ビットは中間領域のビットに、［６］ないし［７］ビットはＭＳＢに分割した後、ＬＳＢに対しては４／５の符号化率で、中間領域のビットに対しては２／３の符号化率で、ＭＳＢに対しては１／２の符号化率で符号化した。
【００３２】
前記のように、ＭＳＢとＬＳＢとの分割比率を異なって設定し、各分割比率ごとに符号化率を異なって設定することによって、本発明の一実施形態では、現在の伝送効率に適応的な分割比率を選択できる。
【００３３】
再び前記図５を参照するに、ＭＰＤＵ長フィールド７２０ｂは、ＭＰＤＵ７５０のサイズをオクテット（ｏｃｔｅｃ）単位で表す。このフィールド７２０ｂは、可変的なサイズを有するＭＰＤＵ  ７５０を正確に判読するために必要である。一例として、ＭＰＤＵ長フィールド７２０ｂは、２０ビットで構成される。
【００３４】
ビームトラッキングフィールド７２０ｃは、１ビットフィールドであり、ビームステアリングのための付加情報が伝送パケットに含まれた場合に１と表示され、そうでない場合に０と表示される。すなわち、図４で、ビームトラッキングフィールド７６０がＭＰＤＵ７５０に付加されていれば、本フィールド７２０ｃは１と表示され、そうでなければ、０と表示される。
【００３５】
エラー保護フィールド７２０ｄは、ＭＰＤＵ７５０に含まれたビットにＵＥＰが適用されるか否かが表示される。該フィールド７２０ｄには、色々なＵＥＰモードのうち、いかなるモードが使われるか表示されうる。これは、後述する図８で‘ＵＥＰフィールド’と表現される。
【００３６】
ＵＥＰオフセットフィールド７２０ｅは、ＭＡＣヘッダ７３０以後に最初のシンボルからカウントするとき、ＵＥＰコーディングが開始されるシンボルの番号を表す。具体的には、１０ビットで表示される。
【００３７】
最後に、予備フィールド７２０ｆは、今後に特定用途として使用するために予備されたフィールドである。
【００３８】
前述した伝送フレームの構造のうち、ＰＨＹヘッダとＭＡＣヘッダとが本発明の実施形態で担当する役割を、図８を参照してさらに詳細に説明する。図８は、本発明の一実施形態によるＵＥＰモードの適用のための送受信側フレームの構造を示す図である。前記図８では、説明の便宜のために、前記図４とは異なり、ＰＨＹヘッダ、ＭＡＣヘッダ、及びペイロードのみで構成されたフレームで示した。
【００３９】
前記ペイロードは、非圧縮ＡＶデータを構成するビットの重要度によって分類され、所定の符号化率でエラー訂正符号化された複数の伝送データユニットで構成される領域であって、前記図４でのＭＰＤＵフィールド７５０に該当する。
【００４０】
ＰＨＹヘッダ７２０,８２０は、後述するＭＡＣヘッダ７３０,８３０に付加され、前記非圧縮ＡＶデータを構成するビットを重要ビットと非重要ビットとに分割する方式を表現するＵＥＰモードの使用如何に関する情報を含んでいる。また、ＰＨＹヘッダ７２０,８２０には、伝送データユニットに含まれるビットレベルの数に関する情報、変調方式に関する情報、前記ビットレベルの数に関する情報と前記変調方式に関する情報との組合わせを表すモードインデックスに関する情報がさらに含まれうるところ、このような情報で構成されるテーブルは、前記図６の説明部分で前述した。
【００４１】
ＭＡＣヘッダ７３０,８３０は、前記ペイロードに付加され、前記ＵＥＰモードを使用して前記非圧縮ＡＶデータを符号化するためのリンク適応フィールド（Ｌｉｎｋ  Ａｄａｐｔａｉｔｏｎ  Ｆｉｅｌｄ：ＬＡＦ）が設定されている。前記ＭＡＣヘッダ７３０,８３０の下部フィールドは、４つのフィールドを含む。
【００４２】
送信側のフレーム７００でのＵＭＲ（ＵＥＰ  Ｍｏｄｅ  Ｒｅｑｕｅｓｔ）フィールド７３１は、現在の伝送効率が低下して伝送品質が悪い場合に、伝送効率を向上させるように現在伝送効率に適応的な所定のＵＥＰモードを推薦することを受信装置に要請する。このような要請をする時には、１に設定され、要請しない時には、０に設定される。そして、前記ＵＭＲフィールドのＩＤが付与されるＵＭＲＩ（ＵＭＲ  Ｉｄｅｎｔｉｆｉｅｒ）フィールド７３２が前記ＵＭＲフィールド７３１に付加されている。
【００４３】
受信側のフレーム８００では、ＵＭＲフィールドとＵＭＲＩフィールドとが空いている代わりに、ＲＵＭフィールド８３３及びＲＵＭＩフィールド８３４に情報が記録されている。ＲＵＭフィールド８３３は、受信したフレームのＵＭＲフィールドが１に設定される場合、現在のデータ受信率に適したＵＥＰモードを前記図６のテーブルのＨＲＰモードインデックスから推薦する。そして、前記ＲＵＭ（Ｒｅｃｏｍｍｅｎｄｅｄ  ＵＥＰ  Ｍｏｄｅ）フィールド８３３のＩＤが付与されるＲＵＭＩ（ＲＵＭ  Ｉｄｅｎｔｉｆｉｅｒ）フィールド８３４がＲＵＭフィールド８３３に付加されている。もし、受信効率が所定基準以下に低下する場合には、ＲＵＭフィールド８３３で再び変更されたＵＥＰモードを前記図６のテーブル（ＨＲＰモードインデックス）から推薦する。
【００４４】
一方、高周波無線通信では、チャンネル状態の変化が非常に流動的であるので、データを伝送し始める時と若干の時間経過後とには、チャンネルの状態が非常に変わりうる。したがって、伝送開始前に設定されたチャンネル状態が悪くなる場合に、ＢＢレイヤで行われるＵＥＰ符号化のモードを再設定する必要がある。すなわち、ＰＨＹヘッダ７２０でＵＥＰの使用如何を決定し、ＭＡＣヘッダ７３０では、ＬＡＦを指定してＵＥＰモードを新たに設定する。ＬＡＦは、ＵＭＲフィールド７３１を１に設定して適したＵＥＰモードを要請することを知らせ、ＵＭＲのＩＤ（ＵＭＲＩ）をＵＭＲＩフィールド７３２に付与して受信側にＡＣＫを伝送する。前記ＡＣＫを受信した受信側では、現在の伝送効率に適応的なＵＥＰモードを前記図６のような参照テーブルから選択することによって、推薦されたＵＥＰモード（Ｒｅｃｏｍｍａｎｄｅｄ  ＵＥＰ  Ｍｏｄｅ：ＲＵＭ）を指定してＲＵＭのＩＤ（ＲＵＭＩ）と共に送信側に回答する。前記送信側は、新たに設定されたＵＥＰモードを適用してデータを受信側に伝送することによって、変化されたチャンネル状態を反映しうる。
【００４５】
図９は、本発明の一実施形態による非圧縮ＡＶデータの送信装置１００の全体構成図である。前記送信装置１００は、保存部１１０、ビット分離部１２０、多重化部１３０、バッファ１４０、チャンネルコーディング部１５０、ヘッダ生成部１６０、ＲＦ部１７０、伝送効率判断部１８０、ＵＥＰモード決定部１９０、及びＵＥＰモードテーブル１９５を備えて構成されうる。
【００４６】
保存部１１０は、非圧縮ＡＶデータを保存するものであって、前記ＡＶデータがビデオデータである場合、各画素に対する副画素値が保存される。前記副画素値は、使われる色空間（例：ＲＧＢ色空間、ＹＣｂＣｒ色空間など）によって多様な値で保存されるが、本発明で、各画素は、ＲＧＢ色空間によってＲ（Ｒｅｄ）、Ｇ（Ｇｒｅｅｎ）、Ｂ（Ｂｌｕｅ）の三つの副画素からなると説明する。もちろん、ビデオデータがグレー画像である場合には、副画素成分は一つのみ存在するので、一つの副画素がそのまま画素をなすことができ、２個または４個の副画素成分が一つの画素をなすこともできる。
【００４７】
ビット分離部１２０は、保存部１１０から提供された副画素値を最上位ビットレベルから最下位ビットレベルまで分離する。例えば、８ビットビデオデータの場合、次数が２７から２０まで存在するので、総８個のビットに分離されうる。ここで、ｍは、画素のビット数を表し、Ｂｉｔｍ−１は、ｍ−１次数のビットを表すが、このようなビット分離過程は、それぞれの副画素に対して独立的に行われる。
【００４８】
前記分離されたビットを重要度別に分類するために、多重化部１３０は、前記分離されたビットをレベル別にスキャンして多重化する。このような多重化を通じて複数のＴＤＵを構成しうる。バッファ１４０は、多重化部１３０によって生成された複数のＴＤＵを一時的に保存する。
【００４９】
チャンネルコーディング部１５０は、バッファ１４０に保存されたＴＤＵ別に決定される符号化率でエラー訂正符号化を行って、ペイロードを生成する。ＴＤＵに関する情報（ＴＤＵに含まれるビットレベルの数）及び各ＴＤＵ別符号化率は、ＵＥＰモード決定部１９０から提供される。図４でのＭＰＤＵ７５０で、同じ種類のＴＤＵは、同じ符号化率を有する。
【００５０】
エラー訂正符号化には、大きくブロック符号化、コンボリューション符号化があるが、ブロック符号化（例：リード−ソロモン符号化）は、データを一定ブロック単位で符号化及び復号化を行うものであり、コンボリューション符号化は、一定長さのメモリを利用して以前データと現在データとを比較して符号化を行う技術である。根本的にブロック符号化は、群集エラーに強く、コンボリューション符号化は、不規則エラーに強いと知られている。前記エラー訂正符号化の結果を集めれば、ペイロード、すなわち、ＭＰＤＵ  ７５０が形成される。
【００５１】
ヘッダ生成部１６０は、符号化された複数のＴＤＵからなるＭＰＤＵ  ７５０にプリアンブル７１０、ＰＨＹヘッダ７２０及びＭＡＣヘッダ７３０を生成して付加し、前記図４のような伝送フレームを生成する。
【００５２】
このとき、ＰＨＹヘッダ７２０のＨＲＰモードインデックスフィールド７２０ａには、モードインデックスが記録される。前記モードインデックスは、グルーピング情報（ＴＤＵのグルーピング方式）、符号化率、変調方式などの組合わせを表す。前記モードインデックスは、ＵＥＰモード決定部１９０によって提供される。また、ヘッダ生成部１６０は、前記フィールド７２０ａ以外にも、図５の多様なフィールド７２０ｂ,７２０ｃ,７２０ｄ,７２０ｅ,７２０ｆを生成する。
【００５３】
ＲＦ部１７０は、ＵＥＰモード決定部１９０から提供される変調方式で伝送パケットを変調して、アンテナを通じて伝送する。
【００５４】
伝送効率判断部１８０は、非圧縮ＡＶデータを伝送する途中に、前記非圧縮ＡＶデータの伝送効率が所定基準以下に低下するか否かを判断する。前記基準以下に低下するか否かは、送信装置が受信装置からエラー応答を受信することによって判断されうる。
【００５５】
前記判断結果、前記伝送効率が前記基準以下に低下する場合には、ＵＥＰモード決定部１９０は、前記ＭＡＣヘッダ７３０に含まれるＵＭＲフィールド７３１を１に設定することによって、現在伝送効率に適応的なＵＥＰモードを推薦することを受信装置に要請し、前記要請に基づいて、特定ＵＥＰモードを受信装置が選択して推薦する場合、前記推薦されたＵＥＰモードに最も適したモードを、前記図６のテーブルの例と同じテーブル１９５で選択する。前記モードインデックスは、グルーピング情報、符号化率及び変調方式の一組合わせを表すことは、前述した通りである。ＵＥＰモード決定部１９０は、前記モードインデックスによるグルーピング情報及び符号化率は、チャンネルコーディング部１５０に提供し、前記モードインデックスによる変調方式は、ＲＦ部１７０に提供する。したがって、前記選択されたＵＥＰモードによってチャンネルコーディング部１５０が非圧縮ＡＶデータを符号化して、ＲＦ部１７０が受信装置に伝送する。
【００５６】
一方、チャンネルコーディング部１５０は、前記伝送効率が再び前記基準以下に低下する場合には、前記ＵＥＰモードを変更して符号化を行う。
【００５７】
図１０は、本発明の一実施形態による非圧縮ＡＶデータの受信装置２００の全体構成図である。受信装置２００は、ＲＦ部２１０、ヘッダ判読部２２０、チャンネルデコーディング部２３０、バッファ２４０、逆多重化部２５０、ビット組合わせ部２６０、再生部２７０、受信効率判断部２８０、及び再伝送要請部２９０を備えて構成されうる。
【００５８】
ＲＦ部２１０は、受信された無線信号を復調して伝送パケットを復元する。ヘッダ判読部２２０は、前記図９のヘッダ生成部１６０で付加されたＰＨＹヘッダ及びＭＡＣヘッダを判読し、前記ヘッダが除去されたＭＰＤＵ、すなわち、ペイロードをチャンネルデコーディング部２３０に提供する。このとき、ヘッダ判読部２２０は、ＰＨＹヘッダ７２０のＨＲＰモードインデックスフィールド７２０ａに記録されたモードインデックスを判読し、また、図５の多様なフィールド７２０ｂ,７２０ｃ,７２０ｄ,７２０ｅ,７２０ｆを判読する。
【００５９】
受信効率判断部２８０は、非圧縮ＡＶデータを受信する途中に、前記非圧縮ＡＶデータの受信効率が所定基準以下に低下するか否かを判断する。前記判断結果、前記受信効率が前記基準以下に低下する場合には、チャンネルデコーディング部２３０は、ＵＥＰモードの使用如何を確認して前記非圧縮ＡＶデータをデコーディングする。このようなデコーディング過程は、チャンネルコーディング部１５０でのエラー訂正符号化の逆の過程であって、符号語（ｃｏｄｅｗｏｒｄ）から原データを復元する過程からなる。このようなエラー訂正復号化方法として代表的なものは、ビタビデコーディングである。
【００６０】
再伝送要請部２９０は、受信したデータのＭＡＣヘッダに含まれるＵＭＲフィールドが１に設定されているか否かを確認し、前記ＵＭＲフィールドが１に設定されていない場合には、現在のデータ受信率に適応的なＵＥＰモードが適用される非圧縮ＡＶデータの再伝送を送信装置１００に要請する。
【００６１】
バッファ２４０には、前記エラー訂正復号化を経て復元されたＴＤＵが一時保存されて逆多重化部２５０に提供する。逆多重化部２５０は、前記復元されたＴＤＵを逆多重化して、複数ビットレベルのビットに分離する。前記ビットは、最上位レベルのビット（Ｂｉｔｍ−１）から最下位レベルのビット（Ｂｉｔ０）まで順次に分離される。ビデオデータの画素が複数の副画素成分からなる場合、前記分離されたビットも各副画素成分別に存在しうる。このような逆多重化過程は、前記図９の多重化部１３０で行われる多重化過程の逆に行われる。
【００６２】
ビット組合わせ部２６０は、前記分離された複数のビットレベル（最上位レベルから最下位レベルまで）のビットを組合わせて、非圧縮ＡＶデータ（すなわち、それぞれの副画素成分）を復元する。ビット組合わせ部２６０によって復元されたそれぞれの副画素成分（例：Ｒ、Ｇ、Ｂ成分）は、再生部２７０に提供される。再生部２７０は、それぞれの副画素成分、すなわち、画素データを集めて一つのビデオフレームが完成されれば、前記ビデオフレームを再生同期信号に合わせてＣＲＴ（Ｃａｔｈｏｄｅ  Ｒａｙ  Ｔｕｂｅ）、ＬＣＤ（Ｌｉｑｕｉｄ  Ｃｒｙｓｔａｌ  Ｄｉｓｐｌａｙ）、ＰＤＰ（Ｐｌａｓｍａ  Ｄｉｓｐｌａｙ  Ｐａｎｅｌ）などのディスプレイ装置（図示せず）に表示する。
【００６３】
以上では、非圧縮ＡＶデータとして、ビデオデータを例として挙げたが、ウェーブファイルなど非圧縮オーディオデータに対しても、前述した方法と同じ方法を適用できるというのは、当業者ならば十分に理解できるであろう。
【００６４】
図９ないし図１０の各構成要素は、メモリ上の所定領域で行われるタスク、クラス、サブルーチン、プロセス、オブジェクト、実行スレッド、プログラムのようなソフトウェアや、ＦＰＧＡ（Ｆｉｅｌｄ−Ｐｒｏｇｒａｍｍａｂｌｅ  Ｇａｔｅ  Ａｒｒａｙ）やＡＳＩＣ（Ａｐｐｌｉｃａｔｉｏｎ−Ｓｐｅｃｉｆｉｃ  Ｉｎｔｅｇｒａｔｅｄ  Ｃｉｒｃｕｉｔ）のようなハードウェアに具現され、また、前記ソフトウェア及びハードウェアの組合わせからなることもある。前記構成要素は、コンピュータで判読可能な保存媒体に含まれてもよく、複数のコンピュータにその一部が分散されて分布されてもよい。
【００６５】
図１１は、本発明の一実施形態による非圧縮ＡＶデータの送信方法を示す全体フローチャートである。
【００６６】
まず、非圧縮ＡＶデータを伝送（Ｓ１０２）する途中に、前記非圧縮ＡＶデータの伝送効率が所定基準以下に低下するか否かを判断する（Ｓ１０４）。前記判断結果、前記伝送効率が前記基準以下に低下する場合には、ＵＥＰモードの使用如何を決定し（Ｓ１０６）、ＭＡＣヘッダ７３０に含まれるＵＭＲフィールド７３１を１に設定することによって、所定ＵＥＰモードを推薦することを受信装置に要請する（Ｓ１０８）。前記要請に基づいて、前記受信装置２００が現在伝送効率に適応的なＵＥＰモードを選択して推薦し（Ｓ１１０）、前記推薦されたＵＥＰモードを送信装置１００に送れば、送信装置１００は、これを受信する（Ｓ１１２）。送信装置１００は、前記受信されたＵＥＰモードによって前記非圧縮ＡＶデータを再伝送する（Ｓ１１４）。
【００６７】
図１２は、本発明の一実施形態による非圧縮ＡＶデータの受信方法を示す全体フローチャートである。
【００６８】
まず、非圧縮ＡＶデータを受信（Ｓ２０２）する途中に、前記非圧縮ＡＶデータの受信効率が所定基準以下に低下するか否かを判断する（Ｓ２０４）。前記判断結果、前記受信効率が前記基準以下に低下する場合には、ＵＥＰモードの使用如何を確認し（Ｓ２０６）、前記ＵＥＰモードが使われる場合には、現在のデータ受信率に適応的なＵＥＰモードを推薦することを送信装置１００から要請される（Ｓ２０８）。前記要請に基づいて、前記適応的なＵＥＰモードを選択して推薦し（Ｓ２１０）、前記推薦したＵＥＰモードによる非圧縮ＡＶデータの再伝送を前記送信装置１００に要請する（Ｓ２１２）。
【００６９】
以上、添付された図面を参照して、本発明の実施形態を説明したが、当業者は、本発明の技術的思想や必須的な特徴を逸脱しない範囲内で多様に置換、変形及び変更が可能であるので、他の具体的な形態で実施されうるということが分かるであろう。したがって、前述した実施形態は、全ての面で例示的なものであり、限定的でないと理解せねばならない。本発明の範囲は、前記詳細な説明よりは、特許請求の範囲によって示され、特許請求の範囲の意味及び範囲、そしてその均等な概念から導出される全ての変更または変形された形態が本発明の範囲に含まれると解釈されねばならない。
【産業上の利用可能性】
【００７０】
本発明の一実施形態によれば、数十Ｇｂｐｓ帯域の高周波無線通信での非圧縮ＡＶデータ伝送途中にチャンネル状態が悪くなった場合、ＭＡＣレイヤのフレーム構造を利用してＢＢレイヤで現在の伝送効率に適応的なＵＥＰモードに変更して伝送することによって伝送効率を向上させうる。
【００７１】
また、大容量の非圧縮ＡＶデータをＵＥＰ符号化技法を利用した伝送に適した伝送フレームの構造を提供することによって、前記非圧縮ＡＶデータを構成するビットの重要度を考慮したＵＥＰ符号化を効果的に行える。
【００７２】
本発明の効果は、前述した効果に制限されず、前述されていない他の効果は、請求範囲の記載から当業者に明確に理解されうるであろう。
【図面の簡単な説明】
【００７３】
【図１】ＩＥＥＥ  ８０２.１１系の標準とｍｍ波との周波数帯域を比較する図である。
【図２】一つの画素成分を複数のビットレベルで示す図である。
【図３】ＩＥＥＥ  ８０２.１１ａ規格のＰＰＤＵの構造を示す図である。
【図４】本発明の一実施形態による伝送フレームの構造を例示した図である。
【図５】本発明の一実施形態によるＰＨＹヘッダの構造を示す図である。
【図６】本発明の一実施形態によるＨＲＰモードインデックステーブルを例示する図である。
【図７】ビットブロックの多様な分割比率を例示する図である。
【図８】本発明の一実施形態によるＵＥＰモード適用のための送受信側フレームの構造を示す図である。
【図９】本発明の一実施形態による非圧縮ＡＶデータの送信装置の全体構成図である。
【図１０】本発明の一実施形態による非圧縮ＡＶデータの受信装置の全体構成図である。
【図１１】本発明の一実施形態による非圧縮ＡＶデータの送信方法の全体フローチャートである。
【図１２】本発明の一実施形態による非圧縮ＡＶデータの受信方法の全体フローチャートである。
【図１】
2009535965.tif 000003
【図２】
2009535965.tif 000004
【図３】
2009535965.tif 000005
【図４】
2009535965.tif 000006
【図５】
2009535965.tif 000007
【図６】
2009535965.tif 000008
【図８】
2009535965.tif 000009
【図９】
2009535965.tif 000010
【図１０】
2009535965.tif 000011
【図１１】
2009535965.tif 000012
【図１２】
2009535965.tif 000013
【図７】
2009535965.tif 000014
【国際調査報告】
2009535965.tif 000015
2009535965.tif 000016